(57)【要約】【課題】信頼性及び意匠性を確保した洗濯機の開閉蓋および洗濯機を提供することを課題とする。【解決手段】  上記課題を解決するため、本発明の一形態は、洗濯機の洗濯槽の上部を覆う洗濯機の開閉蓋であって、本体パネルと、洗濯槽内部が視認可能なように、前記本体パネルに設けられた開口部と、前記本体パネルの上側に設けられた透明な透明ガラス板と、前記透明ガラス板の下側に、前記本体パネルに固定されて設けられた透明パネルを備える。【選択図】図９
2017131470.tif 000002
【特許請求の範囲】
【請求項１】
洗濯機の洗濯槽の上部を覆う洗濯機の開閉蓋であって、
本体パネルと、
洗濯槽内部が視認可能なように、前記本体パネルに設けられた開口部と、
前記本体パネルの上側に設けられた透明な透明ガラス板と、
前記透明ガラス板の下側に、前記本体パネルに固定されて設けられた透明パネルと、を備えたことを特徴とする洗濯機の開閉蓋。
【請求項２】
請求項１に記載の洗濯機の開閉蓋を備えたことを特徴とする洗濯機。
【発明の詳細な説明】
【技術分野】
【０００１】
本発明は、洗濯機の開閉蓋および洗濯機に関する。
【背景技術】
【０００２】
本技術分野の背景技術として、特開２０１３−２２６３４１号公報（特許文献１）がある。この公報には、「筐体２０と、衣類投入口６０と、開閉蓋１００と、操作パネル２００とを備えた電気洗濯機１において、筐体２０は、その上部を構成する上カバー３０を備え、上カバー３０は、開閉蓋１００を収納する収納部３１と、開閉蓋１００の開閉動作を補助する補助手段とを備え、収納部３１は、衣類投入口６０が形成された上面３１ａと、上面３１ａから立ち上がって形成された側面３１ｂと、側面３１ｂに形成された案内手段とを備え、補助手段は、案内手段に設けられる移動部材３５と、一端が移動部材３５に取り付けられる弾性部材と、弾性部材の他端が取り付けられる取付部３８とから構成され、移動部材３５は、開閉蓋１００の開動作に伴って弾性部材が発生する力により開閉蓋１００を所定の距離まで押し上げるように設けられ、弾性部材は、その長さが６０ｍｍ以上３３０ｍｍ以下の範囲で形成される。」と記載されている（要約書参照）。
【先行技術文献】
【特許文献】
【０００３】
【特許文献１】特開２０１３−２２６３４１号公報
【発明の概要】
【発明が解決しようとする課題】
【０００４】
前記特許文献１には、洗濯槽の開閉蓋が記載されている。開閉蓋に透明なガラス板を使用することで、開閉蓋を閉じた状態であっても洗濯槽３の内部を目視可能にできる構造とした場合、開閉蓋に窓形状の開口部を設けるために、万が一ガラスが破損した際に破片が洗濯槽に飛散してしまう虞がある。この解決策としてはガラス板の裏面に、例えばポリエチレン製の透明フィルムを貼りつける方法が考えられる。
【０００５】
しかし、透明フィルム貼付けは洗濯槽を目視した際に歪みが生じる、もしくはフィルム貼付け作業のばらつきで気泡や異物の混入が考えられ、意匠性を損なう恐れがある。
【０００６】
そこで、本発明は、信頼性及び意匠性を確保した洗濯機の開閉蓋および洗濯機を提供することを課題とする。
【課題を解決するための手段】
【０００７】
上記課題を解決するため、本発明の一形態は、洗濯機の洗濯槽の上部を覆う洗濯機の開閉蓋であって、本体パネルと、洗濯槽内部が視認可能なように、前記本体パネルに設けられた開口部と、前記本体パネルの上側に設けられた透明な透明ガラス板と、前記透明ガラス板の下側に、前記本体パネルに固定されて設けられた透明パネルを備える。
【発明の効果】
【０００８】
本発明によれば、信頼性及び意匠性を確保した洗濯機の開閉蓋および洗濯機を提供することができる。
【０００９】
上記した以外の課題、構成及び効果は、以下の実施形態の説明により明らかにされる。
【図面の簡単な説明】
【００１０】
【図１】本発明の一実施例である洗濯機の斜視図である。
【図２】本発明の一実施例である洗濯機の斜視図である。
【図３】本発明の一実施例である洗濯機の上面図である。
【図４】図３のＡ−Ａ縦断面図であり、（ａ）は全体図、（ｂ）は同（ａ）のＢ部分の拡大図、（ｃ）はＣ部分の拡大図である。
【図５】本発明の一実施例である開閉蓋の分解斜視図である。
【図６】本発明の一実施例である洗濯機の側面図である。
【図７】本発明の一実施例である開閉蓋を２つ折り開きにした状態の後部開閉蓋であり、（ａ）は平面図、（ｂ）は前部開閉蓋の正面図である。
【図８】図７（ａ）のＤ−Ｄ切断縦断面図であり、（ａ）は全体図、（ｂ）は（ａ）のＥ部分の拡大図である。
【図９】本発明の別実施例である後部開閉蓋に透明パネルを追加した図である。
【図１０】図９（ｃ）のＡ−Ａ‘切断縦断面図であり、(a)は全体図、(b)は(a)の部分拡大図である。
【発明を実施するための形態】
【００１１】
以下、本発明の実施例について図面を用いて説明する。以下の図面には洗濯機の上下左右前後方向を適宜矢印で示している。
【００１２】
図１、図２は、本実施例の洗濯機の斜視図である。洗濯機２の上部には洗濯槽３の上を覆う開閉蓋１が設けられている。すなわち、図１に示すように、洗濯機２の上部の最後部にはリアパネル１１が設けられ、洗濯機２の上部の最前部には操作パネル１２が設けられている。開閉蓋１は、このリアパネル１１と操作パネル１２との間に設けられている。開閉蓋１は、図２に示すように二つ折りに開くことができ、開くことで洗濯槽３の上部が露出する。開閉蓋１は、当該開閉蓋１の洗濯機後方側を構成している後部開閉蓋３１と、開閉蓋１の洗濯機前方側を構成する前部開閉蓋４１とを備えている。後部開閉蓋３１の上面には、ガラス板３４が設けられている。
【００１３】
開閉蓋１の後方側の基端部２１には一対のヒンジ部（第１ヒンジ部）２２が設けられ、開閉蓋１は、ヒンジ部２２により開閉自在に洗濯機２の上部後方側に支持されている。
【００１４】
図３は、本実施例の洗濯機の上面図、図４は、図３のＡ−Ａ縦断面図であり、（ａ）は全体図、（ｂ）は同（ａ）のＢ部分の拡大図、（ｃ）はＣ部分の拡大図である。後部開閉蓋３１と前部開閉蓋４１とは、後述のヒンジ機構により連結され、後部開閉蓋３１が上側に持ち上がり、前部開閉蓋４１が前方下方に折れ曲がることにより、図２に示すように２つ折り開きができる。
【００１５】
ところで、このような２つ折り開きできる開閉蓋１において、意匠性を高めるために、表面にガラス板を形成することが考えられる。そして、意匠性を考えれば、ガラス板はなるべく大きく見せたい。そこで、後部開閉蓋３１と前部開閉蓋４１のそれぞれにガラス板を形成してガラス板全体を大きく見せることも考えられる。
【００１６】
しかし、ガラス板を形成してガラス板全体を大きくした際、洗濯機２の上部に乾燥機１０２（図６参照）を設置した場合、開閉蓋１が乾燥機１０２にぶつかる不具合を生じる。
【００１７】
そこで、かかる課題、その他の課題を解決する本実施例の技術内容について以下に説明する。
【００１８】
図３、図４に示すように、後部開閉蓋３１は、例えば樹脂製の本体パネル３２を備えている。本体パネル３２の上面にはガラス支持部３３が形成されている。すなわち、本体パネル３２上面には一枚板のガラス板３４が設けられ、このガラス板３４はガラス支持部３３上に支持されている。後部開閉蓋３１の前側の縁部分全体には鉤型の係止部３５が設けられ、係止部３５の先端部は後側を向いている。同様に、後部開閉蓋３１の後側の縁部分全体には鉤型の係止部３６が設けられ、係止部３６の先端部は前側を向いている。すなわち、係止部３５はガラス板３４の前側の縁部分３４ａを係り止めし、係止部３６はガラス板３４の後側の縁部分３４ｂを係り止めして、もってガラス板３４を本体パネル３２に固定している。
【００１９】
前部開閉蓋４１の左右方向中央部で、後部開閉蓋３１に近い位置には、開閉蓋１を開閉するための取っ手４２が設けられている。
【００２０】
意匠性を高めるために、後部開閉蓋３１と前部開閉蓋４１との境界部４３は、左右方向中央部が前側に膨らむようななだらかな円弧形状をなしている。すなわち、後部開閉蓋３１の前側の縁部分は左右方向中央部が前側に膨らむようななだらかな円弧形状である。また、前部開閉蓋４１の後ろ側の縁部分は左右方向中央部が前側に凹むようななだらかな円弧形状である。そして、後部開閉蓋３１の前側の縁部分の形状と前部開閉蓋４１の後ろ側の縁部分の形状とは、開閉蓋１を閉じた状態で図３に示すように合っている。
【００２１】
図３に示すように、前方から見た開閉蓋１の長さＬのうち、後部開閉蓋３１の長さＬ１がその２分の１を超え、より望ましくは３分の１を超え、その分、前部開閉蓋４１の長さＬ２は短くなっている。なお、図３の例においては、長さＬ１が長さＬの４分の３程度になっているが、これは一例に過ぎない。
【００２２】
なお、図４において説明していない符号については後記する。
【００２３】
図５は、開閉蓋１の分解斜視図である。後部開閉蓋３１の前側の端縁５１における左右方向両端部には、それぞれ張出部５２、５３が前側に張り出している。張出部５２、５３には、それぞれ円筒状の支持軸５２ａ、５３ａが軸方向を左右方向とし、その先端部を支持軸５２ａは右側、支持軸５３ａは左側に向けて設けられている。
【００２４】
後部開閉蓋３１の前側の端縁５１における左右方向中央部には、端縁５１から前側（前部開閉蓋４１側）に向かって阻止部材５４が張り出している。この阻止部材５４は、端縁５１から張り出している部分が左右方向を長手方向とする円筒形状をなしており（図４（ｂ））、円筒形状とすることにより、ユーザが取っ手４２に手を掛けて開閉蓋１を閉じようとするときに、指が差し込まれてしまうのを防止している。阻止部材５４の左右方向両端部には、それぞれ支持軸５４ａ、５４ｂが軸方向を左右方向として設けられている。なお、阻止部材５４は、円筒形状だけでなく、ユーザの指が差し込まれてしまうのは防止するための形状であれば八角形筒等の多角形筒の形状であってもよい。
【００２５】
前部開閉蓋４１は、上パネル６１と下パネル６２とにより構成されている。下パネル６２の後側の左右方向両端部には、それぞれ張出部５２、５３が差し込まれる切欠部６３、６４が設けられている。切欠部６３、６４内には、それぞれ支持軸５２ａ、５３ａを軸受する軸受部６３ａ、６４ａが設けられている。下パネル６２の後側の左右方向中央部には、阻止部材５４が差し込まれる切欠部６５が設けられている。切欠部６５の左右両端部には支持軸５４ａ、５４ｂをそれぞれ軸受する軸受部６５ａ、６５ｂが設けられている。
【００２６】
図５において図示していないが、上パネル６１の下面には軸受部６３ａ、６４ａ、６５ａ、６５ｂとそれぞれ対応する位置に当該各軸受部と同様の軸受部が形成されている。そして、上パネル６１と下パネル６２とを螺子留め等により固定したときには、下パネル６２の各軸受部６３ａ、６４ａ、６５ａ、６５ｂと、これに対応する上パネル６１の各軸受部とで、支持軸５２ａ、５３ａ、５４ａ、５４ｂをそれぞれ軸受する。
【００２７】
本実施形態では、このような構成により、後部開閉蓋３１と前部開閉蓋４１とを連結し、後部開閉蓋３１と前部開閉蓋４１とで開閉蓋１の２つ折り開きを可能とするヒンジ構造
（第２ヒンジ部）を実現している。
【００２８】
すなわち、このヒンジ構造によって後部開閉蓋３１に対して前部開閉蓋４１を下側に回転することができる。また、図４（ｂ）に示すように、上パネル６１の後側の端縁６６が後部開閉蓋３１の前側の端縁５１と当たった状態で接するため、後部開閉蓋３１に対して前部開閉蓋４１を一定以上の上側に回転することはできない。
【００２９】
また、図５に示すように、阻止部材５４が後部開閉蓋３１の前側の端縁５１の左右方向中央部に設けられている。そして、取っ手４２は前部開閉蓋４１の後側の左右方向中央部に設けられている。そのため、阻止部材５４は取っ手４２の近傍に位置している。
【００３０】
図６は、洗濯機２の側面図である。この洗濯機２に、スタンド１０１を取り付け、そのスタンド１０１の上に乾燥機１０２を取り付けている。図６においては、開閉蓋１を２つ折りにして開いた状態を示している。
【００３１】
図３に示すとおり、前方から見た開閉蓋１の長さＬのうち、後部開閉蓋３１の長さＬ１がその２分の１を超え、その分、前部開閉蓋４１の長さＬ２は短くなっている。このように後部開閉蓋３１の長さＬ１を長くしているが、図６に示すように、開閉蓋１を２つ折り開きにしたときに後部開閉蓋３１の先端は洗濯機２の上部に設けられた乾燥機１０２又は当該乾燥機１０２を支持しているスタンド１０１に達しない長さとしている（後部開閉蓋３１の先端が最も高い位置になったとき）。すなわち、後部開閉蓋３１が乾燥機１０２やスタンド１０１に当たらない限度で後部開閉蓋３１の長さＬ１を極力長くなるようにしている。
【００３２】
これにより、後部開閉蓋３１の表面を最大限広くすることができる。そのため、後部開閉蓋３１の表面に設けた一枚板のガラス板３４を最大限広くすることが可能となり、意匠性を向上させることができる。また、スタンド１０１は、複数段階（例えば、３段階）に高さ調節可能とする構成も可能である。この場合、スタンド１０１を設置可能な最上段の高さで取り付けたときに、後部開閉蓋３１が乾燥機１０２やスタンド１０１に当たらない限度で後部開閉蓋３１の長さＬ１を極力長くなるようすることで、後部開閉蓋３１の表面に設けた一枚板のガラス板３４を最大限広くすることが可能となり、意匠性を向上させることができる。
【００３３】
図７は、開閉蓋１を２つ折りにした状態の後部開閉蓋３１であり、（ａ）は平面図、（ｂ）は前部開閉蓋４１の正面図である。図８は、図７（ａ）のＤ−Ｄ切断縦断面図であり、（ａ）は全体図、（ｂ）は（ａ）のＥ部分の拡大図である。
【００３４】
図７、図８に示すように、開閉蓋１を２つ折りにした状態では、取っ手４２の近傍に前部開閉蓋４１と後部開閉蓋３１との間の空隙７１が生じる。そして、ユーザが取っ手４２に手を掛けて開閉蓋１を閉じようとすると、空隙７１に指が差し込まれてしまう恐れがある。
【００３５】
これに対して、阻止部材５４は後部開閉蓋３１の前側の端縁５１から前側に延び出していて、図８（ｂ）に示すように空隙７１を塞ぐ。そのため、阻止部材５４は、後部開閉蓋３１と前部開閉蓋４１との間で取っ手４２の近傍において指の差し込みを阻止することができる。
【００３６】
また、阻止部材５４が空隙７１を塞ぎ、阻止部材５４は容易に拭き取り掃除等ができるので、開閉蓋１の清掃性を向上させることができる。
【００３７】
さらに、図４（ｂ）（ｃ）に示す係止部３５，３６は、鉤型をしていて、本体パネル３２に一体になっているため、一般的な金型を使って本体パネル３２を成形することは、係止部３５，３６部分の型抜きが困難となる。
【００３８】
そこで、本体パネル３２を金型で成形するためには、係止部３５，３６の鉤型部分の内部を成形する金型部分を他の部分を成形する金型と別体として、前者を後者からスライド移動して型抜きできるようにしたスライド金型構造を採用するようにすれば、係止部３５，３６部分の型抜きも容易となる。
【００３９】
また、阻止部材５４は、係止部３５の全周に沿って設けられているわけではなく、係止部３５の中心部分を含む一部の周に沿ってのみ設けられている。これは、係止部３５が、直線的形状ではなく、意匠性を確保するために、略円弧形状である一方、コスト等の観点から阻止部材５４は直線的形状としているためである。これにより、意匠性を向上させるとともに、使用者の指の差し込みを阻止することができる。
【００４０】
次に第２の実施例について説明する。
【００４１】
図９で示すように後部開閉蓋３１は、透明なガラス板３４を使用することで、開閉蓋１を閉じた状態であっても洗濯槽３の内部を目視可能にできる構造である。図９（ａ）は開閉蓋１の表から見た斜視図であり、図９（ｂ）は開閉蓋１の裏から見た斜視図である。図９（ｃ）は、図９（ａ）から前部開閉蓋４１を除いた後部開閉蓋３１の斜視図である。
【００４２】
しかし、後部開閉蓋３１に窓形状を設けるために、樹脂製の本体パネル３２に開口部を設けると、万が一ガラスが破損した際に破片が洗濯槽３に飛散し、ユーザが切創する危険性が伴う。上記課題の解決策としてはガラス板３４の裏面に、例えばポリエチレン製の透明フィルムを貼りつける方法がある。
【００４３】
しかし、透明フィルム貼付けは洗濯槽３を目視した際に歪みが生じる、もしくはフィルム貼付け作業のばらつきで気泡や異物の混入が考えられ、意匠性を損なう恐れがある。
【００４４】
上記以外の解決方法として、本体パネル３２に開口部９１を設け、開口部９１に樹脂製の例えば、透明ＡＢＳ製およびＰＥＴ製の透明パネル８１を追加する方法がある。
【００４５】
図１０に図９（ｃ）のＡ−Ａ’切断縦断面図を示す。開口部９１を設けた本体パネル３２の端部にリブ３２１とリブ３２２を設けるとともに、リブ８１１を設けた透明パネル８１を本体パネル３２に係合させる。リブ３２１は本体パネル３２から下側に突出しており、リブ３２２よりも長い形状を有する。リブ３２１とリブ３２２の間に透明パネル８１から上側に突出したリブ８１１を嵌め込む。これにより、上部からガラス板３４を本体パネル３２に固定することでネジ等の締結部材を用いることなく透明パネル８１を本体パネル３２に固定することが可能である。また、リブ３２１の下側表面は透明パネル８１下側表面と同一表面内となるように、ガラス板３４を本体パネル３２に固定される。
【００４６】
上記方法によれば、意匠性ならびに安全性を損なうことなく後部開閉蓋３１に透明部を設け、洗濯槽３を目視可能とすることができる。
【００４７】
なお、本実施例では、後部開閉蓋３１にガラス板３４と透明パネル８１を追加する方法を説明したが、一枚もののガラス蓋にガラス板３４と透明パネル８１を追加して本実施例を適用してもよい。
【００４８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００４９】
１      開閉蓋
２      洗濯機
３      洗濯槽
２２    ヒンジ部（第１ヒンジ部）
３１    後部開閉蓋
３４    ガラス
４１    前部開閉蓋
４２    取っ手
５２ａ、５３ａ、５４ａ、５４ｂ  支持軸（第２ヒンジ部）
５４    阻止部材
６３ａ、６４ａ、６５ａ、６５ｂ  軸受部（第２ヒンジ部）
【図１】
2017131470.tif 000003
【図２】
2017131470.tif 000004
【図３】
2017131470.tif 000005
【図４】
2017131470.tif 000006
【図５】
2017131470.tif 000007
【図６】
2017131470.tif 000008
【図７】
2017131470.tif 000009
【図８】
2017131470.tif 000010
【図９】
2017131470.tif 000011
【図１０】
2017131470.tif 000012